(57)【特許請求の範囲】
【請求項１】
周壁２下端面を閉塞させた容器本体１と、該容器本体周壁上面へ上端面閉塞の周壁１１下面を載置させて、かつその周壁１１後壁部を容器本体周壁２後壁部へヒンジ部２０を介して枢着させた蓋体１０とからなる収納容器において、
上記容器本体１は、周壁２の後壁部に左右方向への凹部３を形成し、かつ該凹部の後壁中央部を切除して上端面開放のヒンジ部揺動用の開口部４を形成すると共に、その凹部３の前壁内面中央部に上端面開放の第１嵌合溝５を、かつ該第１嵌合溝の中央部にコイン６下部周面が嵌合可能な上端面開放の第２嵌合溝７を、それぞれ縦設し、
上記蓋体１０は、周壁１１の後壁部の中央部内面から軸受部１２を垂設して、該軸受部に下端面開放の開口部１３を形成すると共に、その軸受部の前壁上部に、開口部内に開口する、コイン１５の後部周面が嵌合可能な窓部１６を設け、
上記ヒンジ部２０を、容器本体１の凹部３内へ嵌合させた軸受板２１と、該軸受板へ枢着させた軸部２７とからなるヒンジ組立体で形成し、
上記ヒンジ組立体の軸受板２１は、上記容器本体凹部３の第１嵌合溝５内へ係合させた係合板部２２後面の左右両部から、左右方向外方へ突設したピン孔形成厚板部２３を容器本体凹部３の左右両部内へ嵌合させ、かつその係合板部２２上方部の中央部前面から抜出し防止用突部２４を突設して、該抜出し防止用突部を第２嵌合溝７内へ嵌合させると共に、その抜出し防止用突部２４の左右両側の係合板部部分に上端面開放の割溝２５を縦設して、これら両割溝間の係合板部部分を弾性板部２６に形成し、
上記ヒンジ組立体の軸部２７は、上記左右一対のピン孔形成厚板部２３間へ軸棒２８を嵌合させて、該軸棒の左右両端をピン孔形成厚板部２３へ枢着させると共に、その軸棒中央部からコイン係合用弾性突部３１を起立して、該コイン係合用弾性突部を上記蓋体１０の開口部１３内へ嵌合させた
ことを特徴とする収納容器。
【請求項２】
上記軸受部１２の開口部１３の左右両側に下端面開放の補助開口部１４を形成すると共に、上記軸棒２８の左右両部から突出部３０を起立して、これら両突出部を補助開口部１４へ嵌合させた
ことを特徴とする請求項１記載の収納容器。
【発明の詳細な説明】
【０００１】
【発明の属する技術分野】
本発明は化粧料等を収納する収納容器に関する。
【０００２】
【従来の技術】
例えば、実開平２−４０３１５号に示すように、周壁の下端面を閉塞させた容器本体と、該容器本体周壁上面へ上端面閉塞の周壁を載置させた蓋体とを有し、かつ、容器本体周壁の後壁部分後部の中央部を切除して、後壁部分後部の左右両端部間に軸受嵌合部を形成すると共に、蓋体周壁の後壁部分下面から軸受を垂設して、該軸受を軸受嵌合部内へ嵌合させ、かつ、後壁部分後部の左右両端部と軸受とに穿設したピン孔にピンを挿入して、軸受の両端を軸受嵌合部へ枢着させた収納容器が知られている。
【０００３】
【発明が解決しようとする課題】
上記公知例では、容器本体と蓋体とを連結するピンを取り外すことは容易ではなく、このためこれらを分別排出することが困難となるおそれがあった。
また、ピンを挿入させるピン孔が容器本体外面に開口しているため、外観性に欠けるところがあった。
【０００４】
請求項１記載の発明は、ヒンジ部をヒンジ組立体で形成してこれを蓋体と容器本体とから離脱可能にすることにより、収納容器の分解を容易にして分別排出を容易にする。
【０００５】
請求項２記載の発明は、上記請求項１記載の発明が有する解決課題を有するほか、補助開口部に突出部を嵌合させることにより、ヒンジ組立体と蓋体との連結をより強固にする。
【０００６】
【課題を解決するための手段】
第１の手段として、周壁２下端面を閉塞させた容器本体１と、該容器本体周壁上面へ上端面閉塞の周壁１１下面を載置させて、かつその周壁１１後壁部を容器本体周壁２後壁部へヒンジ部２０を介して枢着させた蓋体１０とからなる収納容器において、
上記容器本体１は、周壁２の後壁部に左右方向への凹部３を形成し、かつ該凹部の後壁中央部を切除して上端面開放のヒンジ部揺動用の開口部４を形成すると共に、その凹部３の前壁内面中央部に上端面開放の第１嵌合溝５を、かつ該第１嵌合溝の中央部にコイン６下部周面が嵌合可能な上端面開放の第２嵌合溝７を、それぞれ縦設し、
上記蓋体１０は、周壁１１の後壁部の中央部内面から軸受部１２を垂設して、該軸受部に下端面開放の開口部１３を形成すると共に、その軸受部の前壁上部に、開口部内に開口する、コイン１５の後部周面が嵌合可能な窓部１６を設け、
上記ヒンジ部２０を、容器本体１の凹部３内へ嵌合させた軸受板２１と、該軸受板へ枢着させた軸部２７とからなるヒンジ組立体で形成し、
上記ヒンジ組立体の軸受板２１は、上記容器本体凹部３の第１嵌合溝５内へ係合させた係合板部２２後面の左右両部から、左右方向外方へ突設したピン孔形成厚板部２３を容器本体凹部３の左右両部内へ嵌合させ、かつその係合板部２２上方部の中央部前面から抜出し防止用突部２４を突設して、該抜出し防止用突部を第２嵌合溝７内へ嵌合させると共に、その抜出し防止用突部２４の左右両側の係合板部部分に上端面開放の割溝２５を縦設して、これら両割溝間の係合板部部分を弾性板部２６に形成し、
上記ヒンジ組立体の軸部２７は、上記左右一対のピン孔形成厚板部２３間へ軸棒２８を嵌合させて、該軸棒の左右両端をピン孔形成厚板部２３へ枢着させると共に、その軸棒中央部からコイン係合用弾性突部３１を起立して、該コイン係合用弾性突部を上記蓋体１０の開口部１３内へ嵌合させた。
【０００７】
第２の手段として、上記第１の手段を有すると共に、上記軸受部１２の開口部１３の左右両側に下端面開放の補助開口部１４を形成すると共に、上記軸棒２８の左右両部から突出部３０を起立して、これら両突出部を補助開口部１４へ嵌合させた。
【０００８】
【発明の実施の形態】
以下、本発明に係る収納容器の実施の形態を図面を参照しながら説明する。
１は容器本体で、周壁２の後壁部に左右方向に長い凹部３を形成し、かつ、該凹部の後壁中央部上端面から凹部の底壁前端面にかけての壁部分を切除して上端面開放のヒンジ部揺動用の開口部４を形成する。また、凹部３の前壁内面中央部に上端面開放の第１嵌合溝５を、かつ該第１嵌合溝の中央部にコイン６の下部周面が嵌合可能な上端面開放の第２嵌合溝７を、それぞれ縦設する。
【０００９】
１０は蓋体で、周壁１１の後壁部の中央部内面から軸受部１２を垂設して、該軸受部に下端面開放の開口部１３を形成すると共に、該開口部の左右両側に下端面開放の補助開口部１４、１４を形成する。また、軸受部１２の前壁上部の中央部に、開口部１３内に開口する、コイン１５の後部周面が嵌合可能な窓部１６を形成する。
なお、１７は蓋体１０の頂壁下面に取り付けた鏡である。
【００１０】
２０はヒンジ部で、容器本体１の凹部３内へ嵌合させた軸受板２１と、該軸受板へ枢着させた軸部２７とからなるヒンジ組立体で形成する。
ヒンジ組立体の軸受板２１は、容器本体凹部３の第１嵌合溝５内へ係合させた係合板部２２後面の左右両部から、左右方向外方へピン孔形成厚板部２３を突設し、かつ該厚板部に左右方向への第１ピン孔２３ａを穿設して、両厚板部２３を容器本体凹部３の左右両部内へ嵌合させる。また、その係合板部２２上方部の中央部前面から左右方向への抜出し防止用突条２４を突設して、該抜出し防止用突条を第２嵌合溝７内へ嵌合させる。さらに、その抜出し防止用突条２４の左右両側の係合板部部分に上端面開放の割溝２５を縦設して、これら両割溝間の係合板部部分を弾性板部２６に形成する。
【００１１】
ヒンジ組立体の軸部２７は、左右一対のピン孔形成厚板部２３間へ軸棒２８を嵌合させて、該軸棒に左右方向への第２ピン孔２８ａを穿設し、かつ、左右の第１ピン孔２３ａからピン２９、２９を第２ピン孔２８ａ内へ挿入して軸棒２８をピン孔形成厚板部２３へ揺動自在に枢着させると共に、軸棒２８上面の左右両部から突出部３０、３０を、かつ、中央部からコイン係合用弾性突部３１を、それぞれ起立して、該コイン係合用弾性突部を蓋体１０の開口部１３内へ、また、両突出部３０、３０を補助開口部１４、１４内へ、それぞれ嵌合させる。
なお、コイン係合用弾性突部３１上部のコイン係合面はコイン１５嵌合方向へ傾斜させる。
【００１２】
次に本実施形態の作用について説明する。
上記のように構成した収納容器を廃棄するに際しては、分別収集の観点からこれを分解する。
まず、コイン１５の後部を、軸受部１２の窓部１６内へ嵌合させてコイン係合用弾性突部３１の傾斜面へ係合させることにより、軸受部１２をコイン係合用弾性突部３１と両突出部３０、３０とから離脱させて、蓋体１０を容器本体１から分離させる。
【００１３】
次いで、コイン６下部を第２嵌合溝７上端部へ嵌合させて抜出し防止用突条２４へ係合させることにより、弾性板部２６を後方へ弾性変形させた状態で、軸部２７を把持して軸受板２１を凹部３から上方へ離脱させて、ヒンジ組立体を容器本体１から分離させる。
さらに、蓋体１０から鏡１７を取り外して、収納容器を蓋体１０、ヒンジ組立体、容器本体１及び鏡１７の４つの部品に分解する。
なお、分解の順序は上記に限らず、先に容器本体１をヒンジ組立体から離脱させることも可能である。
【００１４】
【発明の効果】
請求項１記載の発明は、ヒンジ部をヒンジ組立体で形成して、これをコイン利用により蓋体と容器本体とから離脱可能にしたので、収納容器を廃棄する際に、これを蓋体、ヒンジ組立体及び容器本体に容易に分解することができ、従って、分別収集が容易になる。
また、ピンを挿入させるピン孔が容器本体に形成されていないため、外観性が向上する。
さらに、ヒンジ部はヒンジ組立体としてモジュール化されているので多種の収納容器に使用可能であり、従って、コスト削減が図れる。
【００１５】
請求項２記載の発明は、補助開口部を形成すると共に、軸棒の左右両部から突出部を起立して、これら両突出部を補助開口部へ嵌合させたので、ヒンジ組立体と蓋体との連結がより強固になる。
【図面の簡単な説明】
【図１】本発明に係る収納容器の斜視図。
【図２】同じく、収納容器の分解斜視図。
【符号の説明】
１  容器本体
２  周壁
３  凹部
４  開口部
５  第１嵌合溝
６  コイン
７  第２嵌合溝
１０  蓋体
１１  周壁
１２  軸受部
１３  開口部
１４  補助開口部
１５  コイン
１６  窓部
２０  ヒンジ部
２１  軸受板
２２  係合板部
２３  ピン孔形成厚板部
２４  抜出し防止用突条
２５  割溝
２６  弾性板部
２７  軸部
２８  軸棒
３０  突出部
３１  コイン係合用弾性突部
【図１】
0003784576.tif 000002
【図２】
0003784576.tif 000003